(57)【要約】
【課題】　
近年のペットブームに伴いペットを家族同様に扱う家庭が増えて来た。しかし飼い主が旅行をする時など、公共の乗り物に乗る時や公共の施設などにペットも一緒に連れて行く為にはペット用キャリーボックスに入れて手で持って行かなければいけなかった。それには、飼い主も相当な体力を使うし、ペット用キャリーボックスの中にいるペットにもストレスが溜まっていた。
【解決手段】
ペット用キャリーボックス１にペットに引かせる為のフック付き牽引アーム２と前輪用自在キャスター７及び後輪用キャスター８と、飼い主が押して移動する為の手押し用ハンドルバー１０を取り付け図７の様に走行可能にし、又、図６の様にペット用キャリーボックス１の上部に上蓋１５を設け、其の上蓋１５を開けた状態に保持する止具１７を取り付けてペットが顔を出せる様にした。
【選択図】　図７
0003099219.tif 000002
【実用新案登録請求の範囲】
【請求項１】
ペット用キャリーボックスにおいて、ペット用キャリーボックス（1）の両側面にフック付き牽引アーム（２）を取り付けた事を特徴とするペット用キャリーボックス。
【請求項２】
請求項１記載のペット用キャリーボックス（１）の底部に前輪の自在キャスター（７）及び後輪のキャスター（８）を取り付けた事を特徴とするペット用キャリーボックス。
【請求項３】
請求項１又は２記載のペット用キャリーボックス（１）において、前記ペット用キャリーボックス（１）の上部に手押し用ハンドルバー（１０）を取り付けた事を特徴とするペット用キャリーボックス。
【請求項４】
請求項１〜３のいずれか１項に記載のペット用キャリーボックス（１）において、前記ペット用キャリーボックス（１）の上部に上蓋（１５）を設け、其の上蓋（１５）を開けた状態に保持する止具（１７）を取り付けた事を特徴とするペット用キャリーボックス。
【考案の詳細な説明】
【技術分野】
【０００１】
本考案はペットを運搬する為のペット用キャリーボックスに関する。
【背景技術】
【０００２】
従来のペット用キャリーボックスには、２個のキャスター付きの物(例えば、特許文献１、参照。 )。４個のキャスター付きの物(例えば、特許文献２、３参照。)。 上蓋が開く構造の物(例えば、特許文献４参照。)。自動車で牽引するもの(例えば、特許文献５参照。)。がある。
【特許文献１】特開平０８−２８０２９１号広報
【特許文献２】特開平０６−３１９４０１号広報
【特許文献３】実全昭６３−１３８０５２号広報
【特許文献４】実鐙３０６８０８７号広報
【特許文献５】実全平０４−０３８２５４号広報
【考案の開示】
【考案が解決しようとする課題】
【０００３】
近年のペットブームに伴いペットを家族同様に扱う家庭が増えて来た。しかし飼い主が旅行をする時など、公共の乗り物に乗る時や公共の施設などにペットも一緒に連れて行く為にはペット用キャリーボックスに入れて手で持って行かなければいけなかった。そこで、上記の特許文献１，２，３，４，５で示した様にペット用キャリーボックスに入れて運ぶ事になるが、それには、飼い主も相当な体力を使うし、キャリーボックスの中にいるペットにもストレスが溜まっていた。
【課題を解決するための手段】
【０００４】
本考案は上記の課題を解決する為、ペット用キャリーボックスにフック付き牽引アームを取り付けた物でペットに装着されている胴輪に連結して、ペットにペット用キャリーボックスを牽かせる。
【０００５】
敞、上記のキャリーボックスの底部にキャスターを取り付けても良い。
【０００６】
更に、上記のペット用キャリーボックスに手押し用ハンドルバーを取り付ける事で押したり牽いたり移動可能にしても良い。
【０００７】
又、上記のペット用キャリーボックスに、ペットを其の中に入れて移動する場合、ペットが顔を出せる様に其のペット用キャリーボックスの上部に上蓋を設け、其の上蓋が開いた状態に保持する止具を取り付けても良い。
【考案の効果】
【０００８】
ペットにも仕事をさせる事によって飼い主も楽になるし、ペットの運動にもなり、ペット用キャリーボックスに入る事を嫌がるペットも自分から入るようになる。又、何処にでも一緒に出かけられるので飼い主とペットの絆が深くなる。
【考案を実施するための最良の形態】
【０００９】
次に、本考案に係るペット用キャリーボックスの実施の形態を実施例となる図面を参照しながら説明する。図１〜図７に示した本考案に用いるペット用キャリーボックスの材質は樹脂製で軽くて弾力があり頑丈な構造の物であり、手に持っても変形しない物である。又、その重量及び大きさはキャリーボックスにペットを入れて手で抱えられる程度の物であり、主に小型犬及び中型犬を対象にしている。
【００１０】
上記ペット用キャリーボックスの図１及び図５で示す様に、左右側面にフック付き牽引アーム２を其の牽引アームの回転軸５を中心に回転するように取り付けて、牽引しない場合には、其のフック付き牽引アーム２を牽引アーム受け３に収納する。
【００１１】
上記ペット用キャリーボックス１の回転可能に取り付けられたフック付き牽引アーム２は樹脂製で張力に強い材質で弾性変形可能であり、其のフック付き牽引アーム２の途中にヒンジ部５を設け、ペットの体の横幅に合わせられる様に形成されている。又、前記のフック付き牽引アーム２の先端に取り付けられている牽引フック６をペットに装着されている胴輪の両側面に装着し、図７で示す様にペットに牽引させる。
【００１２】
上記ペット用キャリーボックス１の底部に、前輪の自在キャスター７及び後輪のキャスター８を図４に示す様に収納可能に設置する。又、前輪の自在キャスター７及び後輪のキャスター８を収納した時にペット用キャリーボックス１の足９を設置する。
【００１３】
上記ペット用キャリーボックス１の手押し用ハンドルバー１０は、ペット用キャリーボックス１の上部左側面、上部前面、上部右側面に、図１、図３、及び図５に示す様にU字型に形成されており、手押し用ハンドルバーの回転軸１４を中心に回転可能に設置する。又、前記のペット用キャリーボックス１の取手１８を手で持って移動する時に手押し用ハンドルバー１０を収納するためのハンドルバー受け１１を設置する。
【００１４】
上記手押し用ハンドルバー１０の材質は樹脂製でパイプ状になっている物か、又は金属製パイプの軽い材質の物で曲げの圧力に強い物が良い。又、上記ペット用キャリーボックス１を押して移動する時には、手押し用ハンドルバー１０の収納位置からハンドルバーの回転軸１４を中心に回転させ、更にスライド溝１２に沿ってハンドルバーのストッパー１３に手押し用ハンドルバー１０の先端部を差し込み固定し、図５及び図６の様に押して移動する。
【００１５】
上記ペット用キャリーボックス１の上部開平可能に設置された上蓋１５において、其の上蓋１５を開閉するためのヒンジ部１６は蝶番を取り付けても良い。又、前記上蓋１４を開けたままの状態を保持する為に、ここでは取手１８に固定する為のベルト状の止具１７を設けた。
　　
【図面の簡単な説明】
【００１６】
【図１】ペットキャリーボックス１のフック付き牽引アームと２手押し用ハンドルバー１０を収納した状態の側面図。
【図２】前輪の自在キャスター７と後輪のキャスター８を出した時の正面図。
【図３】フック付き牽引アーム２と手押し用ハンドルバー１０を収納した時の上面図。
【図４】前輪の自在キャスター７と後輪のキャスター８を収納した時の下面図。
【図５】フック付き牽引アーム２と手押し用ハンドルバー１０を出した時の側面図。
【図６】ペットをペット用キャリーボックス１の中に入れた状態で、ペット用キャリボックス１の上蓋１５を開けた状態で保持した時の側面図。
【図７】ペットがペット用キャリーボックス１をペットが牽く時の図。
【符号の説明】
【００１７】
　１　　　ペット用キャリーボックス
２　　　フック付き牽引アーム
３　　　牽引アーム受け
４　　　牽引アームのヒンジ部
５　　　牽引アームの回転軸
６　　　牽引フック　
７　　　前輪の自在キャスター　
８　　　後輪のキャスター
９　　　足
１０　　手押し用ハンドルバー
１１　　手押し用ハンドルバー受け
１２　　手押し用ハンドルバーのスライド溝
１３　　手押し用ハンドルバーのストッパー
１４　　手押し用ハンドルバーの回転軸　　
１５　　上蓋　
１６　　上蓋のヒンジ部
１７　　上蓋の止具　
　　１８　　取手
【図１】
0003099219.tif 000003
【図２】
0003099219.tif 000004
【図３】
0003099219.tif 000005
【図４】
0003099219.tif 000006
【図５】
0003099219.tif 000007
【図６】
0003099219.tif 000008
【図７】
0003099219.tif 000009